(57)【要約】【課題】  壁掛装置に代表される保持対象物を保持する保持装置は、保持面に見ばえよく装着しようとするほど着脱が困難でした。着脱は容易にできて前後左右に傾かず、保持面に見ばえよく保持できる保持装置の構成と、装置部品の構造が課題です。【解決手段】  保持面に固着されている保持部品(H )と、保持対象物にある保持構造(J )と、前記保持構造と離れた場所で保持する間隔保持部材または間隔保持装置とを含む構成の保持装置で、保持状態で保持対象物の下端の背面に指が入る以上の隙間ができるように設定されていれば、着脱は容易にできて、位置と傾き状態を保持できます。前記間隔保持装置がロック保持装置であれば、さらに着脱は容易になり、地震や衝撃でも外れず、見ばえよく保持できます。【選択図】      図３
2007275554.tif 000002
【特許請求の範囲】
【請求項１】
二箇所以上の離れた場所で保持面に保持対象物を保持する、壁掛装置に代表される保持装置であって、保持面に固着されている保持部品(H )と、保持対象物に固着されているか形成されている保持構造(J )と、前記保持構造と離れた位置にあり、前後位置を保持する間隔保持部材または間隔保持装置とを構成に含み、
前記保持部品(H )は、前後面と上端面とが左右にあるツバ(Hg)と、左右の間にあり後方へ突き出た固定手段部(Hx)と、左右の間にあり上下の少なくとも一方向へ突き出た位置決め板(Hr)とがある構造で、
前記保持構造(J )は、前記固定手段部(Hx)の左右幅以上の間隔をあけて、前記ツバ(Hg)と左右で接触できる面を有する左右板(Js)と、前記左右板(Js)の上端にあり、前記位置決め板(Hr)の左右幅の間隔をあけて、前記ツバ(Hg)の上端面と左右位置で接触できる下端面を有する上端板(Je)とを含む構造で、
前記ツバ(Hg)の板厚が前記左右板(Js)と保持対象物との間に入り、前記左右板(Js)の板厚が前記ツバ(Hg)と保持面との間に入った保持状態で、保持対象物の下端の背面に指が入る以上の隙間ができるように設定されており、前記ツバ(Hg)と前記左右板(Js)とが接触して前後の位置を保持し、離れた場所にある間隔保持部材または間隔保持装置とで前後の傾きを保持する構成の保持装置。
【請求項２】
請求項１に記載の保持装置において、前記間隔保持装置が、位置を固定するロック機構を有するロック保持装置である保持装置。
【発明の詳細な説明】
【技術分野】
【０００１】
本発明は、保持対象物を容易に着脱できて前後左右に傾かない状態を保持できる、壁掛装置に代表される保持装置に関します。
【背景技術】
【０００２】
鉛直面保持装置の代表である従来の壁掛装置は、装着面上に固着したフック機能部材に保持対象物背面に固定した掛け紐を掛けて、また、前記フック機能部材に保持対象物背面上部にある穴や切欠きの下端点を掛けて、また、装着面と保持対象物背面上部に固着した二部品構成の嵌め合い構造の壁掛装置で、保持対象物を保持しています。保持対象物背面にある二部品構造の保持装置は、圧入など厳しい嵌め合い構造が多く、着脱が困難なために、あまり利用されていません。
【０００３】
掛け紐とフック機能部材との構成の壁掛装置は、部材の入手が容易で、保持対象物上方の見える位置で掛ける場合や、保持対象物を前方へ傾けて掛ける場合は、容易に着脱できるので多用されています。しかし、前後に傾かないようにするには、保持対象物の上端に装着面から離れる方向の力がかかっているので難しく、さらに保持対象物背面の見えない位置で、隙間をできるだけ少なくした場合には、隙間に指も入らず、困難な着脱をしています。
【０００４】
穴や切欠きの下端点をフック機能部材に掛ける場合も、保持対象物上方の見える位置で掛ける場合は比較的容易に着脱できますが、保持対象物裏の見えない位置に穴や切欠きがある場合は、装着面に固定されているフック機能部材との位置関係が前面からではわかりません。左右に広がる傾斜は装着のときに左右の位置ずれを助けますが、重量支持部より上方にあるフック機能部材の抜け留め部分に前記穴や切り欠きを差し込むのは困難です。
従来の保持対象物背面に下端点を掛ける構造がある壁掛装置は、保持対象物背面の上端より下がった位置に穴や切欠きがあります。これは、汎用のフック機能部材の抜け留めが差し込まれたとき、抜け留めの上端があたらないようにです。また、前記フック機能部材は、保持対象物背面を装着面に近づけるために突き出し量を少なくしており、保持対象物を傾けて背面下端に隙間を作ると、フック機能部材の抜け留め部分が穴や切欠きに差し込めません。
フック機能部材の抜け留めの高さを低くしたり、突き出し量を多くすればするほど着脱は容易になりますが、地震や衝撃で外れやすくなり、前述の掛け紐同様、離れる方向へ力が働くために、前方へ傾きます。容易な着脱と外れにくい構造は相矛盾するために、重量物や落下しては困る重要な保持対象物を保持する保持装置として、下端点を掛ける壁掛装置構成は用いられていません。
【０００５】
アリ溝構造も含めて二部品構成で嵌め合い構造の壁掛装置は、前面から見えない位置に壁掛装置がありますので、二部品の位置関係が前面からではわかりません。嵌め合い代を長くしたり、圧入構造にすれば、着脱はさらに困難になります。嵌め合い構造の導入口に傾斜面を用いても、前後の位置合わせには寄与しません。また小さな面積の壁掛装置だけで大きな面積の保持対象物を保持しますので、壁掛装置自体の破壊強度も重要です。
下記[特許文献１]は嵌め合い構造の二部品構成からなる壁掛装置で、平板の左右中央にある台形形状の固定部で固定したＭ部品に、左右が逆Ｕ字形状に折り返され、中央が台形形状に切欠かれているＦ部品を前記平板と取付面との間に差し込み、嵌め合わせる構造です。前後は板厚と隙間との嵌め合い構造で、嵌め合い代が長いと保持対象物は傾きませんが、保持対象物背面には指も入らず、壁掛装置部品を見ないで導入口を嵌め合わせることは困難な構造です。
【０００６】
壁掛装置に限らず、二部品構成で左右位置で嵌め合せて保持する構造を含む保持装置はいろいろ提案されています。着脱を容易にするために、左右方向には傾斜面がある構造もありますが、前後方向は薄い保持装置ほど着脱が困難です。また、外部からの力に対して動かないように固定し、抜け留め対策と、がたつきをなくすために、嵌め合いの部分または近くに圧入や圧接の構造を有していて、圧入や圧接は着脱を困難にしています。
下記[特許文献２]は、連結できる構造を有する物品保持具で、複数の縦部材と横部材と保持部材とで構成され、縦横部材の連結や、保持部材の取付部分に、挿入片を断面リップ溝形の挿入溝に差し込む構造です。連結部分には嵌合突起と嵌合穴との嵌め合いがあり、がたつきを防止して抜け留めになっていますが、保持部材は挿入しているだけなので抜けやすい構造です。いずれの場合でも、装置部分を見ないで容易に着脱できる構造ではありません。
【０００７】
下記[特許文献３]は、壁掛けラックの支持構造で、壁面に接する固定片と隙間をあけて手前左右にあるひれ片とで構成する引掛け具に、壁掛けラックの裏面から突設した横片と左右両端にある縦片に設けた縦方向の突起部を、前記ひれ片に圧接させて保持する構造です。がたつきを前後の圧接でなくしているため、圧接が着脱を困難にしています。また、重量物を置く可能性もあるラックを小さな面積の部品で支持しており、衝撃で破損しない部品強度が必要です。
【０００８】
凹み形状が中央にあり、両側に取り付け用のツバ面があり、鉛直な木壁へ前記ツバ面をネジ止め固定して前後隙間を形成する第一薄板金具と、前記隙間に差し込める厚さと幅の部分があり、間隔をあけて額縁に取り付けられるように略Ｊ字形状をした、第二薄板金具とで構成された「差し込みフック」という壁掛装置があります。圧入や圧接構造はなく、簡単な構造で作りやすい二部品構成の壁掛装置ですが、次の問題点があります。
第一薄板金具は左右二箇所で固定する構造のため、水平な二箇所で固定しないと、額縁が左右に傾いて修正する手段がありません。また、第二薄板金具は下方の上下二箇所で固定する構造のため、外から見えないように固定しようとすると、額縁の外枠ではなく裏板に固定する位置になり、ネジ釘を使うと内部にある作品にキズをつける可能性があり、額縁を保持する強度が保証できません。
重量支持は第一薄板金具の板厚と第二薄板金具の曲面曲げされた下端との線接触なので、がたつきがあり、装着状態で額縁の下端は前後に動かせるので、壁掛装置部品を見ながらであれば着脱は容易ですが、上方へは外れやすく、見ないで前記隙間に差し込むのは困難な構造です。また、薄板などで装着位置の木壁の保持強度が不十分な場合には、補強する手段がありません。
【０００９】
鉛直面での保持には、上方から差し込めば重力が上方へ抜けないように作用しますが、差し込むだけではがたつきがあり、地震などで差し込み方向へ抜く力が働く可能性があります。圧入や圧接を併用しても確実性に乏しく、ロック機構や固着部材などが併用されています。ロック機構を併用すれば、差し込み方向に重力が作用しない天井などの水平面でも保持対象物を保持できます。
下記[特許文献４]は、二部品を位置合わせした後、回転させて嵌め合わせる簡単な構造のロック機構で、鉛直面だけでなく水平面でも有効です。しかし、天井や高い位置の壁面で対象物の重量を支持しながら回転させる動作は容易ではなく、保持対象物に隠れて前記二部品が見えない場合の着脱は困難な構造です。
【００１０】
下記[特許文献５]は鏡の取付構造で、下端は上方から装着穴に差し込み重量を支持し、上端は保持板にある係止部が通過できる挿通穴と通過できないスライド穴部を有する取付基体に、取付具の係止部を差し込み、横方向にスライドさせて鏡の上縁で上方と手前への抜け留めをさせています。鏡の前面にある保持板を動かせるのでできる構造ですが、挿通穴が鏡の裏の見えない場所にあると、係止が確実かどうかの確認ができません。
この事例は、前面と端面が平面で見える場所に保持板がある鏡だから成り立つので、前面と端面が平面でない額縁や壁掛エアコンには応用できません。また、横方向のスライドは係止位置がわからず、内部構造に不案内なユーザでは、不完全な係止位置で使用していて突然外れて、事故につながる可能性もあります。
【００１１】
下記[特許文献６]は、二部品構成の壁掛装置で、一方の部品には部分的に突き出た突起(Pr)があり、他方の部品には着脱時に接触して着脱を容易にする平面(Sf)と、装着位置に前記突起が入る大きさ以上の逃げ空間(Cr)がある構造を含む壁掛装置です。ツバ(Rg)がないので構造は異なりますが、本発明の位置決め板(Hr)と前記突起(Pr)の形状は類似しています。前記突起(Pr)は、着脱時に前記平面と点接触して着脱を容易にするための構造で、装着状態で左右の位置決め機能をする構造ではありません。
その他の実用新案にも同様の突起構造がありますが、いずれも最終装着位置まで重量支持および左右の位置決めの機能面を接触させないための構造です。明記されていませんが、仮に突起(Pr)と逃げ空間(Cr)とが左右位置を決める構造であるとすると、突起(Pr)と逃げ空間(Cr)とは圧入など厳しい嵌め合い構造にしておかねばならず、容易な着脱という課題の解決手段になりません。
【００１２】
下記[特許文献７]は、左右に抜け留め機能のツバがあるフック機能部品と、掛け紐と、保持対象物の背面上部にある保持部材と、保持対象物の背面下部にある間隔保持部材とで構成される、着脱が容易で前後に傾かない壁掛装置です。保持対象物背面の上下の離れた位置で等しい隙間間隔を保持して、前後に傾かない状態を保持します。本発明の位置決め板(Hr)がないので、左右の位置決めが正確にできません。
前記ツバの板厚が保持部材の隙間間隔に入って嵌め合い構造にみえますが、従来の二部品構成の壁掛装置とは違い、保持状態でも保持対象物の背面下端に指を入れられる寸法関係で、容易に着脱できる構造が特長です。地震などで上方から外れやすい構造ではありますが、掛け紐があり、万一保持部材が外れても保持対象物の落下を防止します。
【００１３】
参照した特許文献
【特許文献１】フランス特許公開ＦＲ２４２２３６９Ａ（Profiver）:「Dispositif de fixation pour miroirs,tableaux,ou analogues」
【特許文献２】特開２００２−８５２４３：「物品保持具」
【特許文献３】特開２００３−３７４：「壁掛けラックの支持構造」
【特許文献４】特開平１１−２６６９８４：「物品係止装置」
【特許文献５】特開２００１−３２７３７８：「鏡の取付構造」
【特許文献６】特開２００６−１３６７０９：「着脱容易な壁掛装置」
【特許文献７】実用新案登録第３１２６１４８号：「壁掛装置の部品構成」
【発明の開示】
【発明が解決しようとする課題】
【００１４】
着脱は容易にできて前後左右に傾かず、保持面に見ばえよく保持できる保持装置の構成と、装置部品の構造が課題です。
【課題を解決するための手段】
【００１５】
上記の課題に対して、左右に抜け留め機能のツバがあるフック機能部品と、掛け紐と、保持対象物の背面上部にある保持部材と、背面下部にある間隔保持部材と、で構成される[特許文献７]は、課題解決の一手段です。掛け紐はあれば着脱をさらに容易にしますが、なくても課題を解決できます。しかし、左右には抜けませんが位置規制が一対の保持装置だけで正確にできない場合があり、本発明では位置決め板(Hr)を含む構造で、左右の位置と傾きを保持します。
【００１６】
従来技術との違いは、離れた複数の場所に保持装置または保持部材があり、二部品構成の保持装置の相手部品の板厚が隙間に入って嵌め合い構造に見える状態でも、保持対象物の背面の下端を指が入る以上に傾けて持つことができる寸法に設定された構造で、着脱を容易にしています。
鉛直な保持面の場合、保持対象物の重心位置が保持装置の部品接触位置より手前にあるので、重力による回転モーメントが、保持対象物の上端は保持面から離れる方向に、下端は装着面へ押しつける方向に作用する力があり、前記力を利用して上下の隙間間隔が等しくなるように設定されています。
【００１７】
従来の二部品構成の保持装置は、一対の装置部品で、一箇所で、保持対象物を保持していましたが、本発明では離れた場所にある複数の保持装置または保持部材で保持対象物を保持します。容易に着脱できて前後左右に傾かないよう保持でき、額縁のように鉛直面に装着する保持対象物だけでなく、同じ装置で水平面や傾斜面にも保持対象物を保持できます。
【００１８】
該保持装置の構成は、保持面に固着されている保持部品(H )と、保持対象物に固着されているか形成されている保持構造(J )と、前記保持構造と離れた位置にあり、前後位置を保持する間隔保持部材または間隔保持装置とを含みます。
前記保持部品(H )は、前後面と上端面とが左右にあるツバ(Hg)と、左右の間にあり後方へ突き出た固定手段部(Hx)と、左右の間にあり上下の少なくとも一方向へ突き出た左右の位置決め板(Hr)とがある構造で、前記ツバ(Hg)が前記固定手段部(Hx)の突き出し量の間隔をあけて、保持面に固定されています。固定手段には、ネジ釘などで保持面に固定する、上方で一端を支持された変形自在な連結線部材(FH)に連結固定する、接着や吸着などさまざまあります。
前記保持構造(J )は、前記固定手段部(Hx)の左右幅以上の間隔をあけて、前記ツバ(Hg)と左右で接触できる面を有する左右板(Js)と、前記左右板(Js)の上端にあり、前記位置決め板(Hr)の左右幅の間隔をあけて、前記ツバ(Hg)の上端面と左右位置で接触できる下端面を有する上端板(Je)とを含む構造です。
【００１９】
前記ツバ(Hg)の板厚が前記左右板(Js)と保持対象物、または保持対象物と接触しているベース板(Jb)があれば前記ベース板との間に入り、前記左右板(Js)の板厚が前記ツバ(Hg)と保持面との間に入った保持状態で、保持対象物の下端の背面に指が入る以上の隙間ができるように設定されています。従来の二部品構成の壁掛装置と違って、圧入や圧接構造がなく、保持状態でも保持対象物の下端を手で持つことができますので、着脱が容易にできます。
前記ツバ(Hg)と前記左右板(Js)とが接触して前後の位置を保持し、一方、離れた場所にある間隔保持部材または間隔保持装置も接触して前後の位置を保持し、離れた二箇所以上の場所で前後の傾きを保持する構成の保持装置です。
【００２０】
請求項１に記載の間隔保持部材または間隔保持装置は、前後の位置決めが目的ですが、左右の位置も規制すれば、前記位置決め板(Hr)と離れた場所で左右位置を規制して、衝撃に対しても強くなります。さらにロック機構で前後左右の位置を規制すれば、着脱は容易にできてロックを外さない限り外れない保持装置になります。
【００２１】
請求項２は、請求項１に記載の保持装置において、前記間隔保持装置に替えて、ロック機構を有するロック保持装置にした構成の保持装置です。保持対象物内の離れた端部に、前記保持構造(J )と抜け留め板(Ys)を有する第二ロック保持部品(Y )とがあり、保持面上の対応する場所に、前記保持部品(H )とロック機構を有する第一ロック保持部品(L )とが配置されます。
"  ロック機構は前後左右の位置を規制しますので支点となり、離れた場所にある前記保持装置とで、力を分散して振動や衝撃などの外力に対抗しますので、一箇所だけで保持する従来の保持装置ほど大きな力がかかりません。
また、前記ロック機構を有する構成の保持装置は、重力による回転モーメントを利用しませんので、保持面が鉛直面・傾斜面・水平面を問わず、まったく同じ構成の保持装置で保持対象物を保持できます。"
【００２２】
さらに、掛け紐(FO)を併用すれば、着脱時に重量が支持でき、着脱時の移動距離が短くなってさらに容易に着脱でき、仮にロック機構が外れても保持対象物を落下させない安全装置としても機能します。
【発明の効果】
【００２３】
本発明の保持装置は、二部品構成の保持装置の相手部品の板厚が隙間に入って嵌め合い構造に見える状態でも、保持対象物の背面の下端を指が入る以上に傾けて持つことができる構造なので、保持面と保持対象物との隙間が狭くても、保持対象物を持って容易に着脱できます。
【００２４】
本発明の保持装置は、離れた場所にある複数の保持装置または保持部材で保持対象物を保持します。小さな一対の部品だけで大きな保持対象物を保持していた、従来の壁掛装置に必要な部品の破壊強度を必要とせず、材料選定が幅広くできます。
【００２５】
本発明のロック機構を有する保持装置は、ロックすることで位置が規制されますので、離れた場所の一対の保持装置とで、振動や衝撃などの大きな外力に対抗できます。また、重力による回転モーメントを利用しませんので、まったく同じ構成の保持装置で、保持面が鉛直面・傾斜面・水平面を問わず保持対象物を保持できます。
【発明を実施するための最良の形態】
【００２６】
容易に着脱できて前後左右に傾かず、保持対象物を見ばえよく保持できる壁掛装置を、[図３]で説明します。額縁の上端部中央に木ネジ固定した保持構造部品(JS)と、装着面の対応する位置に木ネジ固定した保持部品(HS)と、額縁の下端部中央に木ネジ固定した第二ロック保持部品(YS)と、装着面の対応する位置に木ネジ固定した第一ロック保持部品(LS)とで構成される壁掛装置です。
【００２７】
額縁の上端部に配置された一対の保持装置は、[図１]に構成部品と組み合わせ方が図示されています。保持部品(HS)と保持構造部品(JS)とで構成され、装着面に対して保持対象物である額縁を傾けて、保持対象物の下部を手で持って着脱ができる構造です。
保持部品(HS)を、[図１−２]に示します。前後面と上端面とが左右にあるツバ(Hg)と、前記ツバの中央から上方へ突き出た位置決め板(Hr)と、前記ツバの中央から後方へ突き出し、装着面に木ネジで固定する皿穴を有する固定手段部(Hx)と、からなる構造です。
保持構造部品(JS)を、[図１−１]に示します。保持対象物の上端枠に固定されるベース板(Jb)と、前記ツバ(Hg)の抜け留めとなる左右板(Js)と、前記左右板の上端とベース板とをつなぐ端板(Je)とで構成されています。
【００２８】
断面寸法は、ツバ(Hg)の板厚が２mm、ベース板(Jb)と左右板(Js)との隙間間隔が３mm、左右板(Js)の板厚が２mm、ツバ(Hg)と装着面との隙間間隔が３mm、ツバ(Hg)の高さが１０mmです。左右寸法は、位置決め板(Hr)の左右幅(wr)が１５mm、端板(Je)の左右幅(we)が１６mmとなっており、圧入や圧接寸法はありません。
【００２９】
額縁の下端部に配置された一対のロック保持装置は、[図２]に構成部品の正面図と側面図とロックの手順を図示しています。第一ロック保持部品(LS)と第二ロック保持部品(YS)とで構成され、[図２−４]の右図に示すように、摺動板(Lt)を引き下げた状態で保持対象物を装着して、[図２−４]の左図に示すように上方へ押し込んだ状態で保持します。
第一ロック保持部品(LS)は、左右位置にある板片のツバ(Lg)と、前記ツバの下部で左右の位置を決める位置決め板(Lr)と、前記ツバより狭い幅で左右中央から下方へ突き出し、中央部に上下に摺動できる長穴がある摺動部(Ld)と、上端にレバー(Lv)と、を含む構造の摺動板(Lt)と、前記長穴の外周を前後で挟み、前記摺動部を摺動可能に固定すると共に、装着面にネジ留め固定する固定手段部(Lx)とで構成されています。
第二ロック保持部品(YS)は、額縁背面の下端枠に固定手段部(Yx)で固定されるベース板(Yb)と、前記摺動板のツバ(Lg)を前後で挟む間隔(gY)をあけて抜け留めとなる、抜け留め板(Ys)と、前記位置決め板(Lr)が摺動可能に挿入できる間隔(we)をあけて、前記抜け留め板(Ys)を固定している端板(Ye)と、を有する構造です。
【００３０】
保持対象物の下端部に配置されたロック保持装置は、ロック状態では額縁の下端を傾けて持つことができない構造で、上端部に配置された一対の保持装置が、前後のがたつきで外れないよう保持しています。装着方向と直角に係止板を動かしてロックするロック機構とは異なる構造で、ロック状態が外部からも容易にわかります。
【００３１】
[図２]の寸法例は、摺動板(Lt)にある前記長穴は幅１２mm＊長さ２５mmで、固定手段部(Lx)は、前記長穴内が幅１１．５mm＊長さ１５mm、摺動部(Ld)を前後で挟む部分は幅１８mm＊高さ１５mmです。前記摺動板(Lt)は上下に１０mm摺動させることができ、最も離れた位置では抜け留め板(Ys)の高さ８mmから完全に外れます。位置決め板(Lr)の左右幅が２０mm、端板(Ye)の左右間隔(we)も２０mmで軽圧入になっており、地震や衝撃でも摺動板(Lt)を動きにくくしています。
断面寸法は、前記ツバ(Lg)の板厚(tL)が２mm、保持面との隙間間隔(gL)が３mm、前記ツバ(Lg)を挟む保持対象物側固定手段部(Lx)の板厚が２mm、抜け留め板(Ys)の板厚が２mm、抜け留め板とベース板(Yb)との隙間間隔(gY)が２mmで、前記固定手段部(Lx)が保持面から８mm突き出して、保持状態では先端と保持対象物とが直接接触して前後位置を保持するため、第二ロック保持部品(YS)の中央部はベース板(Yb)が切り欠かれています。
【００３２】
装着手順は、第一ロック保持部品(LS)のレバー(Lv)を下方へ下げた状態で、額縁下端を手で持って、装着面に対して傾けて保持部品(HS)の上方へ保持構造(JS)を持ち上げます。額縁を下げて、位置決め板(Hr)を保持構造(JS)の端板(Je)の間に差し込みます。手を放せば、第一ロック保持部品の固定手段部(Lx)の手前面と、保持対象物の背面とが接触しますので、第一ロック保持部品のレバー(Lv)を上へ押し込み、ツバ(Lg)が下端から見えなければ、確実にロックされています。
保持状態では、保持対象物下端にある第一ロック保持部品(LS)のツバ(Lg)が第二ロック保持部品(YS)のベース板(Yb)と抜け留め板(Ls)の間で前後に動かないよう規制し、位置決め板(Lr)と端板(Ye)とが接触して左右に動かないよう規制しています。保持対象物上端にある一対の保持装置も、同様に前後左右の位置を規制でき、傾かないように設定されていますので、上下の位置規制で保持対象物は前後左右に傾かない状態で保持されます。
外すときは、第一ロック保持部品(LS)のレバー(Lv)をツバ(Lg)の上端が見える位置まで下げると、ロック保持機構が外れます。この状態では額縁の下端背面に指を入れて両手で持つことができますので、真っ直ぐ上に持ち上げれば容易に外れます。
【００３３】
上述した構造は一つの実施例で、装着面は鉛直面に限定されず、水平面や傾斜面でもよく、第二ロック保持部品(YS)を装着面に固定または形成して、第一ロック保持部品(LS)を保持対象物に固定することも自由です。また寸法も、保持対象物の重量や保持部品の材料と強度などから安全を考えて自由に設定できます。
【実施例１】
【００３４】
[図４]は、容易に着脱できて前後左右に傾かず、見ばえよく保持対象物を保持できる、本発明の保持装置を利用した水平下面係止装置で、天井に鏡を取り付ける一実施例です。[図４−１]は側面から見た天井に鏡(Ｏbj)を装着しようとする図、[図４−２]は下面から見た保持装置の配置図、[図４−３]は下方から上方へ装着の手順を示しています。
[図４−２]に、水平下面係止装置の構成の一例を示します。一対の保持装置(HS)・(JS)を二組と、ロック保持装置(LS)・(YS)を一組と、安全線部材(FS)とで構成されています。鏡の一端部の二つの角部に保持部品(HS)を、対辺となる端部の中央に第二ロック保持部品(YS)を補助板に固定し、対応する位置の天井下に、第一ロック保持部品(LS)と保持構造部品(JS)とをネジ止め固定します。第一ロック保持部品の固定手段部(Lx)と保持対象物とに安全線部材(FS)を固定します。
【００３５】
[特許文献５]の鏡の取付構造は、洗面化粧台に鉛直に鏡を取り付ける構造で、鏡の前面で左右にスライドできる取付基体があり、背面の挿通穴部で係止部を差し込んで左右方向に動かし、スライド穴部の縁を係止して鏡を係止する構造です。天井下の水平面にも応用できなくはありませんが、左右の係止位置が明確にわからないので、不完全な位置にあって天井から落ちたら危険な構造です。
本発明の保持装置構成を応用した水平下面係止装置は、ロック機構のレバーが鏡の端部から引き出されているか押し込まれているかで、ロック状態が一目でわかります。また、安全線部材(FS)があり、万一ロックが外れても落下事故を防ぎます。前記安全線部材(FS)は、着脱のときに鏡の重量を支持して作業を助け、落下を防ぎます。
【００３６】
装着手順は、[図４−３]下方より、第一ロック保持部品(LS)の摺動板(Lt)を鏡の外側へ引き出しておき、保持対象物に一端を固定した安全線部材(FS)の紐の他端を、第一ロック保持部品の固定手段部(Lx)に固定します。鏡を天井から傾けて、他端にある保持部品(HS)を天井下にある保持構造部品(JS)に差し込みます。第二ロック保持部品を天井に押し付けながら、第一ロック保持部品のレバー(Lv)を鏡の方へ押し込みます。
外すときは、保持対象物のロック保持装置側を天井へ押しつけながら第一ロック保持部品のツバ(Lg)が見える位置までツバ(Lg)を引き出し、鏡を傾けて保持対象物を持って引き出し、安全線部材(FS)を外せば外れます。
【００３７】
従来の水平面係止装置や照明器具のロック装置と違って、本発明のロック保持装置は、外部から見えるか見えないかでロック状態が判断できます。レバー(Lv)を工具を使わなければ引き出せないようにすれば、不特定多数の人が触れられる場所でも安全です。また、安全線部材(FS)は万一の時の落下防止だけでなく、重量を支持しながら着脱作業ができますので、高い鉛直面や天井下でも一人で安全に作業できる効果があります。
【００３８】
上述した構成は一つの実施例で、水平下面に限らず水平上面や鉛直面や傾斜面でも利用でき、保持部品(HS)を保持対象物に、保持構造(J )を保持面に固定したり形成したベース板を用いることも自由です。また、寸法も保持対象物の重量や保持部品の材料と強度などから安全を考えて自由に設定できます。天井面や棚の下面など水平下面は現在あまり利用されていませんが、着脱が容易で安全な本発明の保持装置は、今後さまざまな分野で応用できます。
【産業上の利用可能性】
【００３９】
容易に着脱できて見ばえよく保持対象物を保持できる本発明の保持装置は、さまざまな分野で利用でき、壁掛装置に代表される鉛直面保持装置、水平下面係止装置、を説明しましたが、倒れ防止装置、吊下げ保持装置、拡張テーブルへの応用など、他の分野でも利用できます。
【図面の簡単な説明】
【００４０】
【図１】本発明の一対の保持装置の実施例(HS)(JS)を示す部品図と装着保持図[１]  保持対象物の上端部にネジ止め固着する保持構造部品(JS)の正面図と側断面図[２]  保持面にネジ止め固定する保持部品(HS)の側断面図と正面図[３]  保持面にネジ止め固定した保持部品(HS)に保持構造部品(JS)を装着する側断面図[４]  保持面にネジ止め固定した保持部品(HS)で保持構造部品(JS)を保持した側断面図
【図２】ロック保持装置の一実施例(LS)(YS)を示す部品図と側断面装着保持図[１]  ネジ止め固定する第一ロック保持部品(LS)の側断面図と正面図[２]  第一ロック保持部品の摺動板(Lt)の側断面図と正面図[３]  ネジ止め固定する第二ロック保持部品(YS)の正面図と側断面図[４]  左図：ロック状態図、右図：ロック解除状態図
【図３】一対の保持装置を上端に、ロック保持装置を下端に配置した壁掛装置[１]  保持部品(HS)(LS)を設置した壁面に保持構造(JS)(YS)を固着した額縁の装着側面図[２]  保持部品(HS)(LS)を設置した壁面に保持構造(JS)(YS)を固着した額縁の保持側面図[３]  上端の一対の保持装置と下端のロック保持装置とで額縁を保持する装着正面図
【図４】天井に鏡を取り付ける水平下面係止装置[１]  一対の保持装置(HS)(JS)とロック保持装置(LS)(YS)と線部材(FS)構成の装着側面図[２]  一対の保持装置(HS)(JS)とロック保持装置(LS)(YS)との配置を下面から見た図[３]  天井に鏡を取り付ける手順を下方から示した側面から見た図
【符号の説明】
【００４１】
Ｃel：天井など水平下面
FH：上方で一端を固定されたワイヤや紐など連結線部材
FO：掛け紐
FS：重量を支持し、着脱を容易にする安全線部材
gL：第一ロック保持部品の摺動板と取付面との隙間間隔
gY：第二ロック保持部品の抜け留め板とベース板との隙間間隔
hg：第一ロック保持部品のツバの高さ
H ：保持面に固着されている保持部品
Hg：前後面と上端面とが左右にあるツバ
Hr：左右の間にあり上下の少なくとも一方向へ突き出た位置決め板
HS：保持面または保持対象物にネジ止め固定される保持部品
Hx：左右の間にあり後方へ突き出た固定手段部
J ：保持対象物に固着されているか形成されている保持構造
Jb：(J )が固着される場合は保持面または保持対象物に固着できるベース板
Je：左右板(Js)の上端にあり、ツバ(Hg)の上端面と接触できる下端面を有する上端板
Js：ツバ(Hg)と左右で接触できる面を有する左右板
JS：ネジ(SC)止め固定される保持構造部品
Jx：保持構造部品の固定手段部
L ：第一ロック保持部品
Ld：第一ロック保持部品の摺動板の摺動部
Lg：第一ロック保持部品の摺動板のツバ
Lr：第一ロック保持部品の摺動板にある左右の位置決め板
LS：ビス止め固定される第一ロック保持部品
Lt：第一ロック保持部品の摺動板
Lv：第一ロック保持部品の摺動板にあるレバー
Lx：第一ロック保持部品の固定手段部
Ｏbj：額縁などの保持対象物
SC：木ネジやビスなどのネジ類
tL：第一ロック保持部品の摺動板(Lt)およびツバ(Lg)の板厚
tY：第二ロック保持部品の摺動板の板厚
Ｗal：壁面など鉛直な保持面
we：左右の端板間の距離
wr：位置決め板の左右端の距離
Y ：第二ロック保持部品
Yb：第二ロック保持部品のベース板
Ye：第二ロック保持部品の抜け留め板を固定する端板
YS：ネジ止め固定される第二ロック保持部品
Ys：第二ロック保持部品の抜け留め板
Yx：第二ロック保持部品の固定手段部
θ：保持面と保持対象物との傾き角度
【図１】
2007275554.tif 000003
【図２】
2007275554.tif 000004
【図３】
2007275554.tif 000005
【図４】
2007275554.tif 000006